(57)【要約】【課題】  受電ユニットとＶＣＴユニットと変圧器一次ユニットから構成されるＧＩＳにおいて、据付面積を縮小化し、出荷時の作業性を向上させる。【解決手段】  受電ユニット２、ＶＣＴユニット３、変圧器一次ユニット４から構成されるＧＩＳ１において、受電ユニットと変圧器一次ユニットとを背中合わせに配置し、ＶＣＴユニットの側面に配置する。ＧＩＳ寸法の奥行き寸法は増加させることなく、横方向の寸法を縮小化することができる。また、出荷時の分割数を低減することができ、出荷時、輸送時、現地組立時の作業性を向上させることができる。【選択図】      図４
2005318681.tif 000002
【特許請求の範囲】
【請求項１】
受電ユニット、ＶＣＴユニット、変圧器一次ユニットから構成されるガス絶縁開閉装置において、
前記受電ユニット及び前記変圧器一次ユニットを背中合わせに配置し、前記ＶＣＴユニットの側面に配置したことを特徴とするガス絶縁開閉装置。
【請求項２】
前記受電ユニット及び前記変圧器一次ユニットはそれぞれ２ユニットから構成されることを特徴とする請求項１に記載のガス絶縁開閉装置。
【発明の詳細な説明】
【技術分野】
【０００１】
本発明は、受電用のガス絶縁開閉装置（Gas Insulated Switchgear）（以下、「ＧＩＳ」と言う。）に関するもので、特に、受電ユニットと変圧器一次ユニットとＶＣＴユニットとが一体に構成されるＧＩＳに関するものである。
【背景技術】
【０００２】
従来の受電ユニットと変圧器一次ユニットとＶＣＴユニットとから構成されるＧＩＳについて図１〜３を用いて説明する。
図１は、受電用ＧＩＳのスケルトンを示す。本例のＧＩＳは、２回線で受電し、ＶＣＴ（計器用変圧変流器）５を経由して変圧器２バンクを有する。
【０００３】
図２は、図１のスケルトンに合わせて構成された従来のＧＩＳ９のレイアウトを示す。正面から見て左から、受電ユニット２が２ユニット、ＶＣＴユニット３が１ユニット、変圧器一次ユニット４が２ユニットの順で配置される。各ユニット２−４は横一列に配置され、点検用扉がすべて正面に並ぶように配置されている。
【０００４】
図３は、図２のＧＩＳのブロックスケルトンを示す。図を見やすくするため、スケルトンを構成する各機器の符号は省略をするので、図１を参照されたい。
２回線の系統は、２台の受電ユニット２により受電され、ＶＣＴユニット３、２台の変圧器一次ユニット４を経由して、変圧器２バンクに給電される。
【０００５】
ＧＩＳ９を構成する各ユニットの内、受電ユニット２、変圧器一次ユニット４については、縮小化が実現され小さくなってきている。しかし、ＶＣＴユニット３は従来からのＶＣＴ５を採用するという制約があるため、幅、奥行き共にほかのユニット２、４よりも大きいままとなっている。特に、ＶＣＴユニット３の奥行き寸法はほかのユニット２、４の２倍以上の寸法になる。
このため、図２に示すように各ユニット２−４を横１列に配置をすると、ＧＩＳ９の平面形状に段差が生じる。また、ＧＩＳ９のレイアウトは、奥行き寸法が最大のＶＣＴユニット３により決まるため大きなものとなる。
【０００６】
また、ＧＩＳ９は、工場から出荷する際に、輸送限界に納まる大きさのブロックに分割解体した上で搬送され、現地で組立作業をすることが必要である。奥行き寸法の異なるユニット同士を１つの輸送ブロックとして輸送をすることは困難であるので、奥行き寸法が同一なユニット同士を１輸送ブロックとする必要がある。したがって、図示の例では、受電ユニット２の２ユニットで１輸送ブロック、ＶＣＴユニット３で１輸送ブロック、変圧器一次ユニット４の２ユニットで１輸送ブロックとして、３分割していた。
【発明の開示】
【発明が解決しようとする課題】
【０００７】
上記従来のＧＩＳ９では、横一列に配置をすることでＧＩＳ全体の幅が大きくなり、また、平面形状に段差が生じて盤構成が複雑になると共に見栄えも劣るという問題があった。
また、ＧＩＳ９の出荷時に分割をする際に３分割にせざるを得ないため、運送費が高くなり、作業量も多くなるという問題があった。
本発明は、受電ユニットとＶＣＴユニットと変圧器一次ユニットから構成されるＧＩＳにおいて、据付面積を縮小化し、出荷時の作業性を向上させることを目的とするものである。
【課題を解決するための手段】
【０００８】
本発明は、上記目的を達成するため、受電ユニット、ＶＣＴユニット、変圧器一次ユニットから構成されるガス絶縁開閉装置において、受電ユニットと変圧器一次ユニットとを背中合わせに配置し、ＶＣＴユニットの側面に配置する。
【発明の効果】
【０００９】
ＶＣＴユニットの奥行き寸法は、受電ユニットと変圧器一次ユニットの奥行き寸法の２倍以上あるため、受電ユニットと変圧器一次ユニットを組み合わせた奥行き寸法は、ＶＣＴユニットの奥行き寸法以内に収められる。したがって、本発明によれば、ＧＩＳの平面形状を段差のない見栄えの良い形状とすることができる。
また、本発明によれば、受電ユニットと変圧器一次ユニットの内、従来正面に並べて配置されていたユニットを他方のユニットの背面側に配置することができる。これにより、ＧＩＳの横方向の寸法を縮小化することができる。
【００１０】
さらに、受電ユニットと変圧器一次ユニットとを１つのブロックに組み合わせたものは、出荷時の輸送限界内に納めることができる。したがって、本発明によれば、ＧＩＳ出荷時の分割数を低減することができ、出荷時、輸送時、現地組立時の作業性を向上させることができる。
【発明を実施するための最良の形態】
【００１１】
本発明を適用したＧＩＳについて図を用いて説明する。
図４は、本発明を適用したＧＩＳのレイアウトを示し、図５はＧＩＳの内部を左側面側から見た図を示し、図６はＧＩＳの内部を正面から見た図を示し、図７はブロックスケルトンであり、ＧＩＳ内部の結線状態を示す。
【００１２】
本例のＧＩＳ１は、上記の従来例と同様に、図１のスケルトンに合わせて構成したものである。本例のＧＩＳ１は、受電用ＧＩＳとして最も代表的な例（２Ｌ−２ＴＲ−１ＶＣＴ）であり、２回線で受電し、ＶＣＴ５を経由して変圧器２バンクを有するものである。当然ながら、本発明は、２回線、変圧器２バンクの場合のみに適用されるものではなく、そのほかの回線数、バンク数にも適用可能である。
【００１３】
図４に示すように、受電ユニット２と変圧器一次ユニット４は、２回線分として２ユニットずつが並べて配置される。受電ユニット２と変圧器一次ユニット４は、背中合わせに配置され、ＶＣＴユニット３の側面に配置される。図示の例では、受電ユニット２を正面側とし、変圧器一次ユニット４を背面側に位置させているが、逆に配置することも可能である。
【００１４】
受電ユニット２と変圧器一次ユニット４の奥行き寸法の合計はＶＣＴユニット３の奥行き寸法より短いので、受電ユニット２と変圧器一次ユニット４の間にスペース８を設けることにより、各ユニットの奥行き寸法が同一にされる。したがって、ＧＩＳ１の平面形状は矩形状になり、段差のない見栄えのよいものとなる。
ＧＩＳ１全体のレイアウトは、奥行き寸法は変わらずに幅方向の寸法が小さくなるので、ＧＩＳ１の据付面積を縮小化することができる。
【００１５】
ＧＩＳ１は、輸送のために複数のブロックに分割可能に構成される。受電ユニット２と変圧器一次ユニット４が１つの基礎ベース上に設置されて１輸送ブロックとされ、ＶＣＴユニット３は単体で１つの１つの基礎ベース上に設置されて１輸送ブロックとされる。
ＧＩＳ１は、輸送ブロックごとにトラック輸送され、据付現地において現地ベース上に設置される。
【００１６】
本例では、従来３分割されていたものが２分割で済むこととなり、輸送用の分割数を低減することができる。これにより、輸送費を削減でき、出荷時や現地搬入後の解体、組立作業も軽減される。
【００１７】
ＧＩＳ１内の結線について説明する。図を見やすくするため、スケルトンを構成する各機器の符号は一部省略をしているので、図１を参照されたい。
各ユニット２、４において、遮断器ＣＢ、断路器ＤＳ、接地開閉器ＥＳ、避雷器ＬＡなどがタンク内に絶縁ガスと共に収納される。
【００１８】
各受電ユニット２においては、上部に設けられた受電用のケーブルヘッドＣＨＤから２系統がそれぞれのユニットに引き込まれ、遮断器ＣＢを介して下部に設けられた母線ＢＵＳに導出される。各受電ユニット２の母線ＢＵＳは、共通に接続されて、ＶＣＴユニット３側に引き出されて、ケーブル６によりＶＣＴ５と接続される。
【００１９】
変圧器一次ユニット４においては、ＶＣＴ５はケーブル７により母線ＢＵＳと接続される。母線ＢＵＳは、ユニットの下部に設けられ、各ユニット共通に接続される。変圧器一次ユニット４のタンク内に絶縁ガスと共に収納された遮断器ＣＢを介して上部に設けられたケーブルヘッドＣＨＤを経由して変圧器バンクに向けて導出される。
【００２０】
本例では、受電ユニット２からＶＣＴ５までケーブル６の引き回しルートと、変圧器一次ユニット４からＶＣＴ５までケーブル７の引き回しルートとが異なるため、長さ違いのケーブル６、７が使用されることになる。しかし、各ケーブル６、７は同一部材での構成が可能である。
【図面の簡単な説明】
【００２１】
【図１】受電用ＧＩＳのスケルトンを示す図である。
【図２】従来における、図１のスケルトンに合わせて構成されたＧＩＳのレイアウトを示す図である。
【図３】図２のＧＩＳのブロックスケルトンを示す図である。
【図４】本発明における、図１のスケルトンに合わせて構成されたＧＩＳのレイアウトを示す図である。
【図５】図４のＧＩＳの側面図である。
【図６】図４のＧＩＳの正面図である。
【図７】図４のＧＩＳのブロックスケルトンを示す図である。
【符号の説明】
【００２２】
１…ＧＩＳ
２…受電ユニット
３…ＶＣＴユニット
４…変圧器一次ユニット
５…ＶＣＴ
６、７…ケーブル
８…スペース
９…ＧＩＳ
【図１】
2005318681.tif 000003
【図２】
2005318681.tif 000004
【図３】
2005318681.tif 000005
【図４】
2005318681.tif 000006
【図５】
2005318681.tif 000007
【図６】
2005318681.tif 000008
【図７】
2005318681.tif 000009